(57)【要約】【課題】複数台の空気調和装置を設置する空気調和システムにおいて、室内温度を確認しながら複数台のサーモOFF停止を管理することにより、室内空気の安定を図る。【解決手段】吸込み空気温度の判定値に従って運転がON/OFFされる複数の空気調和装置１〜４と、吸込み空気温度を検出する複数の吸込み空気温度検出装置１ｓ〜４ｓと、空気調和装置の運転のON/OFF状態を把握し、把握したON/OFF状態に基づいて、空気調和装置の判定値またはON/OFF切替の禁止時間を設定する運転管理手段としての制御装置８を備えた空気調和システム。【選択図】図１
2008232590.tif 000002
【特許請求の範囲】
【請求項１】
吸込み空気温度の判定値に従って運転がON/OFFされる複数の空気調和装置と、
前記吸込み空気温度を検出する複数の吸込み空気温度検出装置と、
前記空気調和装置の運転のON/OFF状態を把握し、把握したON/OFF状態に基づいて、前記空気調和装置の前記判定値またはON/OFF切替の禁止時間を設定する運転管理手段と、
を備えたことを特徴とする空気調和システム。
【請求項２】
前記複数の空気調和装置が配置された室内の温度を、前記空気調和装置から離れた位置で検出する遠方温度検出装置を備え、
前記運転管理手段は、前記遠方温度検出装置の検出温度に基づいて、前記空気調和装置の前記判定値またはON/OFF切替の禁止時間を設定する、
ことを特徴とする請求項１記載の空気調和システム。
【請求項３】
前記遠方温度検出装置が複数配置されていて、そのうちのいずれかの遠方温度検出装置に予め定めた範囲外の温度が検出された場合には、前記運転管理手段が、その範囲外温度を検出した遠方温度検出装置に最も近い空気調和装置に対して、前記空気調和装置の前記判定値またはON/OFF切替の禁止時間を設定する、
ことを特徴とする請求項２記載の空気調和システム。
【請求項４】
前記システムの冷房運転中に、前記いずれかの吸込み空気温度検出装置が、予め定めた判定値より低い温度を検出した場合には、対応する空気調和装置の運転が停止されるとともに、前記運転管理手段が、残りの空気調和装置に対して、それらの運転停止の判定値をそれまで設定されていた判定値よりも低くするか、またはONからOFFへの切替の禁止時間を設定する、
ことを特徴とする請求項１〜３のいずれかに記載の空気調和システム。
【請求項５】
前記システムの冷房運転中に、停止状態にあった空気調和装置の吸込み空気温度検出装置が、予め定めた判定値より高い温度を検出した場合には、対応する空気調和装置の運転が開始されるとともに、前記運転管理手段が、他の停止状態にある空気調和装置に対して、それらの運転開始の判定値をそれまで設定されていた判定値よりも高くするか、またはOFFからONへの切替の禁止時間を設定する、
ことを特徴とする請求項１〜４のいずれかに記載の空気調和システム。
【請求項６】
前記システムの暖房運転中に、前記いずれかの吸込み空気温度検出装置が、予め定めた判定値より高い温度を検出した場合には、対応する空気調和装置の運転が停止されるとともに、前記運転管理手段が、残りの空気調和装置に対して、それらの動作停止の判定値をそれまで設定されていた判定値よりも高くするか、またはONからOFFへの切替の禁止時間を設定する、
ことを特徴とする請求項１〜３のいずれかに記載の空気調和システム。
【請求項７】
前記システムの暖房運転中に、停止状態にあった空気調和装置の吸込み空気温度検出装置が、予め定めた下限値より低い温度を検出した場合には、対応する空気調和装置の運転が開始されるとともに、前記運転管理手段が、他の停止状態にある空気調和装置に対して、それらの運転開始の判定値をそれまで設定されていた判定値よりも低くするか、またはOFFからONへの切替の禁止時間を設定する、
ことを特徴とする請求項１〜４のいずれかに記載の空気調和システム。
【請求項８】
前記運転管理手段が、前記複数の空気調和装置のいずれかに組み込まれていることを特徴とする請求項１〜７のいずれかに記載の空気調和システム。
【請求項９】
前記空気調和装置がコンピュータサーバを保管するサーバルームに配置されている、ことを特徴とする請求項１〜５のいずれかに記載の空気調和システム。
【発明の詳細な説明】
【技術分野】
【０００１】
この発明は、複数の空気調和装置（空調機ともいう）により、同一空間内の室内空気温度を自動的にコントロールする、空気調和システムに関する。
【背景技術】
【０００２】
従来より、同一空間内に配置した複数の空調機を制御するための技術が知られている。例えば、一部の空調機が停止した場合や、一部の空調機に冷却能力不足が生じた場合に、他の空調機の冷却能力をアップして補完するように制御するものがある（例えば、特許文献１）。
また、空調機が設備されたゾーン内の所望の位置に温度センサを配置し、１つの空調機毎に順番に、その設定温度を所定の時間の間、所定の温度だけ変化させて、温度センサにおける温度の変化情報を収集し、この温度の変化情報を基に、温度センサが配置された位置における、各空調機の影響度を求めるシステムもある（例えば、特許文献２）。
【０００３】
【特許文献１】特開２００６−６４２５４号公報
【特許文献２】特開２００６−６４２８３号公報
【発明の開示】
【発明が解決しようとする課題】
【０００４】
しかしながら、従来の空気調和システムには、各々の空調機が個別にサーモON/OFFの判定を行い、それぞれの判断に応じてサーモ発停を行うものも多く、複数の空調機のサーモOFFやサーモONのタイミングが重なった場合、室内への供給冷房能力の増減が大きくなって、室内温度の変動が大きくなる問題があった。
【０００５】
この発明は、上記のような課題を解決するためになされたもので、複数の空調機が同時に発停することによる室内空気温度の急激な変動を低減して、できるだけ安定した温度制御が可能となる空気調和システムを提供することを目的とする。
【課題を解決するための手段】
【０００６】
この発明の空気調和システムは、吸込み空気温度の判定値に従って運転がON/OFFされる複数の空気調和装置と、前記吸込み空気温度を検出する複数の吸込み空気温度検出装置と、前記空気調和装置の運転のON/OFF状態を把握し、把握したON/OFF状態に基づいて、前記空気調和装置の前記判定値またはON/OFF切替の禁止時間を設定する運転管理手段と、を備えたものである。
また、前記複数の空気調和装置が配置された室内の温度を、前記空気調和装置から離れた位置で検出する遠方温度検出装置を備え、前記運転管理手段は、前記遠方温度検出装置の検出温度に基づいて、前記空気調和装置の前記判定値またはON/OFF切替の禁止時間を設定する、ようにしたものである。
【発明の効果】
【０００７】
この発明の空気調和システムによれば、運転管理手段が、空気調和装置の運転のON/OFF状態を管理し、そのON/OFF状態に基づいて空気調和装置のON/OFFの判定値またはON/OFF切替の禁止時間を設定するため、複数の空調機の同時発停を回避して、室内空気温度を急激な温度変動なしに安定して制御することが可能となる。
【発明を実施するための最良の形態】
【０００８】
実施の形態１．
図１はこの発明の実施の形態１における空気温度が調整される被空調室内を示す平面図、図２は図１の室内の側面断面図（Ａ-Ａ方向断面図）を示す。
図１の被空調室は、床面６、および空気調和装置から空調された空気が吹出される床下空間７を有している。また、被空調室内には、温度管理が必要とされる装置（又は品物）５、室内の吸込み空気温度を検出する吸込み空気温度検出装置１ｓ〜４ｓを備えた複数の空気調和装置１〜４、空気調和装置１〜４を制御する制御装置８などが配置されている。空気調和装置１〜４は、室内に分散して配置されており、それらは通信線９により制御装置８に接続されて、空気調和システムを構成している。
【０００９】
空気調和装置１〜４は、予め定めた吸込み空気温度の判定値に従って、発停（サーモON/OFF)される。なお、被空調室に配置される空気調和装置は適宜の複数台数としてよい。
制御装置８は、空気調和装置の運転のON/OFF状態を把握し、把握したON/OFF状態に基づいて、各空気調和装置の判定値またはON/OFF切替の禁止時間を設定する運転管理手段として作用するものであり、マイコンなどに予め以下で説明するような動作をプログラムして構成することができる。なお、制御装置８は被空調室の外部に設けられていてもよい。
【００１０】
（１）冷房運転において動作していた空気調和装置のサーモOFFを判定した場合の制御
図１のような空気調和システムにおいて、システムの冷房運転中に、空気調和装置１〜４のいずれかの吸込み空気温度検出装置、例えば吸込み空気温度検出装置１ｓが、予め定めた判定値（下限値）より低い温度を検出した場合には、空気調和装置１の運転が停止（サーモOFF）され、空気調和装置１が運転停止した情報が制御装置８に送信される。
空気調和装置１の運転停止情報を受けとった制御装置８は、他の空気調和装置２〜４に対し、それらのサーモOFFの判定値を、それまで設定されていた判定値よりも低く、例えば０．５℃低くする信号を送信する。なお、判定値を低くする代わりに、一定時間、たとえば３分間のサーモOFF禁止信号を空気調和装置２〜４に送信しても良い。
このようにすることで、空気調和装置２〜４の運転が一度に停止することが回避でき、空調された空気の室内への供給能力の急激な減少を防止でき、室内温度の急激な変動を回避できる。したがって、この空調システムは、コンピュータのサーバなどが保管されている、サーバ室の空調に適用されるのに特に適している。
【００１１】
（２）冷房運転中に停止状態にあった空気調和装置のサーモONを判定した場合の制御      図１のような空気調和システムにおいて、システムの冷房運転中に、停止状態にあった空気調和装置の吸込み空気温度検出装置、例えば吸込み空気温度検出装置１ｓが、予め定めた判定値（上限値）より高い温度を検出した場合には、空気調和装置１の運転が開始（サーモON）され、空気調和装置１が運転開始した情報が制御装置８に送信される。
空気調和装置１の運転開始情報を受けとった制御装置８は、他の停止中の空気調和装置に対し、それらのサーモONの判定値を、それまで設定されていた判定値よりも高く、例えば０．５℃高くする信号を送信する。なお、上記判定値を高くする代わりに、一定時間、たとえば３分間のサーモON禁止信号を空気調和装置２〜４に送信しても良い。
このようにすることで、停止中にあった空気調和装置の運転が一度に運転を再開することが回避でき、空調された空気の室内への供給能力の急激な増加を防止でき、室内温度の急激な変動を回避できる。したがって、この空調システムは、コンピュータのサーバなどが保管されている、サーバ室の空調に適用されるのに特に適している。
【００１２】
（３）暖房運転において動作していた空気調和装置のサーモOFFを判定した場合の制御
図１のような空気調和システムにおいて、システムの暖房運転中に、空気調和装置１〜４のいずれかの吸込み空気温度検出装置、例えば吸込み空気温度検出装置１ｓが、予め定めた規定値（上限値）より高い温度を検出した場合には、空気調和装置１の運転が停止（サーモOFF）され、空気調和装置１が運転停止した情報が制御装置８に送信される。
空気調和装置１の運転停止情報を受けとった制御装置８は、他の空気調和装置２〜４に対し、それらのサーモOFFの判定値を、それまで設定されていた判定値よりも高く、例えば０．５℃高くする信号を送信する。なお、上記判定値を高くする代わりに、一定時間、たとえば３分間のサーモOFF禁止信号を空気調和装置２〜４に送信しても良い。
このようにすることで、空気調和装置２〜４の運転が一度に停止することが回避でき、空調された空気の室内への供給能力の急激な減少を防止でき、室内温度の急激な変動を回避できる。
【００１３】
（４）暖房運転中に停止状態にあった空気調和装置のサーモONを判定した場合の制御
図１のような空気調和システムにおいて、システムの暖房運転中に、停止状態にあった空気調和装置の吸込み空気温度検出装置、例えば吸込み空気温度検出装置１ｓが、予め定めた規定値（下限値）より低い温度を検出した場合には、空気調和装置１の運転が開始（サーモON）され、空気調和装置１が運転開始した情報が制御装置８に送信される。
空気調和装置１の運転開始情報を受けとった制御装置８は、他の停止中の空気調和装置に対し、それらのサーモONの判定値を、それまで設定されていた判定値よりも高く、例えば０．５℃高くする信号を送信する。なお、上記判定値を高くする代わりに、一定時間、たとえば３分間のサーモON禁止信号を空気調和装置２〜４に送信しても良い。
このようにすることで、停止中にあった空気調和装置の運転が一度に運転を再開することが回避でき、空調された空気の室内への供給能力の急激な増加を防止でき、室内温度の急激な変動を回避できる。
【００１４】
実施の形態２．
実施の形態２は、実施の形態１の態様に加えて、複数の空気調和装置が配置された室内の温度を、空気調和装置から離れた位置で検出する遠方温度検出装置を備え、遠方温度検出装置の検出温度に基づいて、空気調和装置の判定値を設定する運転管理手段を備えたものである。
（５）遠方温度検出装置を利用した被空調室内の冷房運転制御
図３はこの発明の実施の形態１における空気温度が調整される被空調室内を示す平面図、図４は図３の室内の側面断面図（Ｂ-Ｂ方向断面図）を示す。実施の形態１の図１との相違点は、空気調和装置１〜４から離れた位置に被空調室内の温度を検出する遠方温度検出装置１０を備えていることと、制御装置８が、遠方温度検出装置１０の検出温度に基づいて、空気調和装置１〜４の判定値を設定できるようにもなっている点である。
なお、遠方温度検出装置１０は、被空調室内において最も重要な空気条件管理が求めらるような部位に設置されるのが好ましい。
【００１５】
図３のように構成された空気調和システムにおいて、システムの冷房運転中、遠方温度検出装置１０が予め定めた範囲（上限値）を超えた値を検出した場合、その温度情報を受信した制御装置８は、各空気調和装置１〜４にサーモOFFの判定値をそれまで設定されていた値よりも低く（例えば０．５℃低く）する信号を送信するか、サーモONからサーモOFFへの切替の禁止時間（例えば３分）を設定する信号を送信する。
【００１６】
また、冷房運転中、遠方温度検出装置１０が予め定めた範囲（上限値）を超えた値を検出した場合、その温度情報を受信した制御装置８は、各空気調和装置１〜４にサーモONの判定値をそれまで設定されていた値よりも高く（例えば０．５℃高く）する信号を送信するか、サーモOFFからサーモONへの切替の禁止時間（例えば３分）を設定する信号を送信する。
【００１７】
また、冷房運転中、遠方温度検出装置１０が予め定めた範囲（下限値）を下回った値を検出した場合、その温度情報を受信した制御装置８は、各空気調和装置１〜４にサーモOFFの判定値を従来よりも高く（例えば０．５℃高く）する信号を送信するか、サーモONからサーモOFFへの切替の禁止時間（例えば３分）を設定する信号を送信する。
【００１８】
また、冷房運転中、遠方温度検出装置１０が予め定めた範囲（下限値）を下回った値を検出した場合、その温度情報を受信した制御装置８は、各空気調和装置１〜４にサーモONの判定値を従来よりも低く（例えば０．５℃低く）する信号を送信するか、サーモOFFからサーモONへの切替の禁止時間（例えば３分）を設定する信号を送信する。
【００１９】
そして、遠方温度検出装置１０の検出温度が予め定めた範囲内になった場合は、制御装置８は、各空気調和装置１〜４に対し、その時点でのサーモ判定値にしたがって、実施の形態１で説明したような制御を行うように指示する信号を送信する。
【００２０】
これにより、最も重要な空気条件管理が要求されている部位の空気温度の急激な変動を防止し、信頼性の高い空気温度管理が可能となる。
【００２１】
（６）遠方温度検出装置を利用した被空調室内の暖房運転制御
図３のように構成された空気調和システムにおいて、システムの暖房運転中、遠方温度検出装置１０が予め定めた範囲（下限値）を下回った値を検出した場合、その温度情報を受信した制御装置８は、各空気調和装置１〜４にサーモOFFの判定値をそれまで設定されていた値よりも高く（例えば０．５℃高く）する信号を送信するか、サーモONからサーモOFFへの切替の禁止時間（例えば３分）を設定する信号を送信する。
【００２２】
また、暖房運転中、遠方温度検出装置１０が予め定めた範囲（下限値）を下回った値を検出した場合、その温度情報を受信した制御装置８は、各空気調和装置１〜４にサーモONの判定値を従来よりも低く（例えば０．５℃低く）する信号を送信するか、サーモOFFからサーモONへの切替の禁止時間（例えば３分）を設定する信号を送信する。
【００２３】
また、暖房運転中、遠方温度検出装置１０が予め定めた範囲（上限値）を超えた値を検出した場合、その温度情報を受信した制御装置８は、各空気調和装置１〜４にサーモOFFの判定値を従来よりも低くする、例えば０．５℃低くする信号を送信するか、サーモONからサーモOFFへの切替の禁止時間（例えば３分）を設定する信号を送信する。
【００２４】
また、暖房運転中、遠方温度検出装置１０の検出温度が予め定めた範囲（上限値）を超えた値を検出した場合、その温度情報を受信した制御装置８は、各空気調和装置１〜４にサーモONの判定値を従来よりも高く（例えば０．５℃高く）する信号を送信するか、サーモOFFからサーモONへの切替の禁止時間（例えば３分）を設定する信号を送信する。
【００２５】
そして、遠方温度検出装置１０の検出温度が予め定めた範囲内になった場合は、制御装置８は、各空気調和装置１〜４にその時点でのサーモ判定値にしたがって、実施の形態１で説明したような制御を行うように各空気調和装置１〜４に指示する信号を送信する。
【００２６】
これにより、最も重要な空気条件管理が要求されている部位の空気温度の急激な変動を防止し、信頼性の高い空気温度管理が可能となる。
【００２７】
なお、遠方温度検出装置１０を複数配置しておき、予め定めた範囲を逸脱した温度を検出した遠方温度検出装置１０が出た場合には、制御装置８が、その遠方温度検出装置１０に最も近い空気調和装置を特定して、その特定した空気調和装置に対してのみ、上記のような制御を行うようにしても良い。これは、例えば、制御装置８に対し、各遠方温度検出装置１０に最も近い位置にある空気調和装置を予め記憶させておくことで可能となる。
【００２８】
また、上記各実施の形態では、制御装置８を用いて各空気調和装置を制御したが、制御装置８を用いずに、複数の空気調和装置のうちの１台に制御装置８が果たす機能と同じ機能を組み込んで親機とし、その親機がそれ自身を含めて残りの空気調和装置を制御するようにしてもよい。
【図面の簡単な説明】
【００２９】
【図１】この発明の実施の形態１における被空調室内を示す平面図である。
【図２】この発明の実施の形態１における被空調室内を示す側面断面図である。
【図３】この発明の実施の形態２における被空調室内を示す平面図である。
【図４】この発明の実施の形態２における被空調室内を示す側面断面図である。
【符号の説明】
【００３０】
１〜４  空気調和装置、１ｓ〜４ｓ  吸込み空気温度検出装置、５  被冷却装置、６  サーバー室床面、７  冷却空気が吹出される床下面、８  制御装置、９  通信線、１０    遠方温度検出装置。 
【図１】
2008232590.tif 000003
【図２】
2008232590.tif 000004
【図３】
2008232590.tif 000005
【図４】
2008232590.tif 000006